(57)【要約】【課題】様々な用途として使用することのできる多用途ハンカチを提供することを目的とする。【解決手段】四角形のタオル生地１１の４辺のうちの辺Ｂと辺Ｄを重ねて２つ折りとし、この重なった辺Ｂ，Ｄの中心付近の位置１６から角部１４，１５を経て辺Ｃの折返し点１７までを縫着し、重なった辺Ｂ，Ｄの中心にリング状のタブ１８を縫着した多用途ハンカチ１０である。この多用途ハンカチ１０はハンカチとして使用できる他、小物入れやペットボトル入れ等として、またバスミトンとして使用できる。或いはタブ１８を利用してベルトやフックに引っ掛けること等もできる。【選択図】図１
0003156519.tif 000002
【実用新案登録請求の範囲】
【請求項１】
四角形のタオル生地の４辺を右回りで辺Ａ，Ｂ，Ｃ，Ｄとしたとき、このうちの辺Ｂと辺Ｄを重ねて該タオル生地を２つ折りとし、
この重なった辺Ｂ，Ｄの中心付近から、前記辺Ｃとの角部を経て、該辺Ｃの折返し点までを縫着し、
前記重なった辺Ｂ，Ｄの中心にリング状のタブを縫着したものであることを特徴とする多用途ハンカチ。
【請求項２】
前記重なった辺Ｂ，Ｄの前記縫着長さが、前記辺Ｃとの角部から該辺Ｂ，Ｄの長さの２／３の位置までの区間である請求項１に記載の多用途ハンカチ。
【考案の詳細な説明】
【技術分野】
【０００１】
本考案は、様々な用途を発揮する多用途ハンカチに関するものである。
【背景技術】
【０００２】
タオル生地を材料とした製品としては、フェイスタオルやボディータオル、タオルハンカチ等が知られているが、この様にタオル生地を単に矩形に形成しただけのものに限らず、様々な機能を備えたものが提案されている。
【０００３】
例えば特許文献１には、身体の洗浄の際に使用するボディータオルとして、長方形の生地の周縁部全体にフリルを設けたものが示されている。このボディータオルはボリュームがあり、使用時に泡立ちが良く、タオルを棒状にしたときにその両端部を握りやすいという効果がある。
【０００４】
また特許文献２には、環状のゴム紐を引き伸ばした状態で長方形のタオル本体中央部に縫い付けたものが示されている。このタオルは、ゴム紐が収縮することで、ゴム紐に囲まれたタオル本体中央部が内側に絞られるようになり、袋体が形成される。該タオルでは、上記袋体の中にタオル本体の周囲部分を収納し、塊状として使用することができ、またタオル本体を伸ばした状態で使用することもできる。
【先行技術文献】
【特許文献】
【０００５】
【特許文献１】特許第２９４８１９６号
【特許文献２】特許第３５６２９９６号
【考案の概要】
【考案が解決しようとする課題】
【０００６】
上述のようにタオル生地を材料として各種タオルが提案されているが、これらの改良目的はタオルやハンカチをあくまでもタオルやハンカチとして使用するときの機能性やハンドリング性を向上させようとしたものに止まる。これに対し本考案では、様々な用途として使用することのできる多用途ハンカチ（タオルを含む、以下同じ）を提供することを目的とする。
【課題を解決するための手段】
【０００７】
本考案に係る多用途ハンカチは、四角形のタオル生地の４辺を右回りで辺Ａ，Ｂ，Ｃ，Ｄとしたとき、このうちの辺Ｂと辺Ｄを重ねて該タオル生地を２つ折りとし、この重なった辺Ｂ，Ｄの中心付近から、前記辺Ｃとの角部を経て、該辺Ｃの折返し点までを縫着し、前記重なった辺Ｂ，Ｄの中心にリング状のタブを縫着したものであることを特徴とする。
【０００８】
上記縫着により袋部分が形成されるので、この袋を小物入れとして用いたり、ペットボトルを入れたりすることができる。冬期にはカイロ用収納袋としても使用でき、夏期には保冷剤を収納して身体の冷却にも使用できる。また身体を洗浄するにあたり、手にはめて洗浄具（いわゆるバスミトン）として用いることもできる。更に上記リング状タブを利用して腰のベルト等につけたり、フックに掛けることができ、またリング状タブに各種飾りを取り付けることもできる。或いは上記袋部分に携帯電話、ゴルフボール、小型カメラ、ハサミ、爪切り等の小物セットを収納して腰のベルトにつける、といった使用も可能である。この多用途ハンカチは、勿論ハンカチとして使用することができる。
【０００９】
なお本願において上記「重なった辺Ｂ，Ｄの中心付近」とは、辺Ｂ，Ｄの中心点を中心に辺Ｂ，Ｄの長さの１／３の範囲内における任意の位置を言う。
【００１０】
更に本考案においては、前記重なった辺Ｂ，Ｄの前記縫着の長さが、前記辺Ｃとの角部から該辺Ｂ，Ｄの長さの２／３の位置までの区間であることが好ましい。
【００１１】
このように辺Ｂ，Ｄの長さの２／３まで縫着されているときは、袋内が深く、安定して小物等が収容できる。但し深すぎると、収納した小さな小物が取り出し難くなるので、上記２／３の位置を超えて縫着することは、推奨されない。
【考案の効果】
【００１２】
本考案に係る多用途ハンカチによれば、ハンカチとしての使用の他、様々な用途に使用でき、便利である。
【図面の簡単な説明】
【００１３】
【図１】本考案の一実施形態に係る多用途ハンカチの正面図である。
【図２】図１に示す実施形態の多用途ハンカチの作製手順を示す説明図であり、（ａ）はタオル生地を展開した様子を表す平面図、（ｂ）はこのタオル生地を２つ折りした様子を表す平面図、（ｃ）は２つ折りのタオル生地を縫着した様子を表す平面図である。
【図３】図１に示す実施形態の多用途ハンカチにペットボトルを入れた様子を表す正面図である。
【図４】図１に示す実施形態の多用途ハンカチの口部分を閉じた様子を表す図であり、（ａ）は折り畳んで閉じる場合の斜視図、（ｂ）は捲いて閉じる場合の斜視図である。
【考案を実施するための形態】
【００１４】
図１は本考案の一実施形態に係る多用途ハンカチ１０の正面図である。また図２は、この実施形態の多用途ハンカチの作製手順を示す説明図であり、（ａ）はタオル生地を展開した様子を表す平面図、（ｂ）はこのタオル生地を２つ折りした様子を表す平面図、（ｃ）は２つ折りのタオル生地を縫着した様子を表す平面図である。
【００１５】
本実施形態の多用途ハンカチ１０について、その作製手順に沿って以下に説明する。
【００１６】
まず正方形（例えば２５cm×２５cm）の綿１００％のタオル生地１１を準備する（図２（ａ））。タオル生地１１としてはループ状のパイル織物の他、このループを切って毛羽にしたパイル織物、ガーゼタオル等が挙げられる。このタオル生地１１の角部１２，１３，１４，１５は面取りされたように弧状となっている。なお説明の便宜のため、このタオル生地１１の４辺を右回りで辺Ａ，Ｂ，Ｃ，Ｄと名付ける。
【００１７】
図２（ｂ）に示すように、このタオル生地１１の対向辺Ｂ，Ｄを重ね合わせるようにして２つ折りとする（矢印Ｅ）。
【００１８】
次いで図２（ｃ）に示すように、折り重ねた辺Ｃを縫着し、続いて重ねた辺Ｂ，Ｄを、角部１４，１５（これら角部１４，１５は重なっている）から２／３の位置（中心付近位置１６）まで縫着する（下部区間Ｓ）。なお縫着ラインは図において点線で表している。こうして辺Ｃの折返し点１７から角部１４，１５を経て中心付近位置１６までが縫着されて袋部分２１が形成される。一方、辺Ａ、及び角部１２，１３から中心付近位置１６までの区間（上部区間Ｔ）は、縫着されていないので、開放状態となっている（口部分２２）。
【００１９】
次に図１に示すように、重なった辺Ｂ，Ｄの中心の位置にリング状の布製タブ１８を縫着し、このタブ１８に金属製チェーン１９を取り付ける。リング状タブ１８の素材、大きさ、構造などは一切制限されないが、ハンカチとして使用するときに顔や手を傷つけるものは避けることが推奨される。但し、本考案品を使用する人の美意識、価値観、ライフスタイルなどの多様性に適応させるべく、種々の変形態様を採用しうることは言うまでもない。
【００２０】
本実施形態の多用途ハンカチ１０は、ハンカチとして用いることができる他、下記の如く様々な用途として用いることができる。
【００２１】
第１に、小物入れとして用いることができる。例えば化粧ポーチとするときは、口紅やファンデーションコンパクト等を袋部分２１に収納し、口部分２２を折り返して閉じると良い（図４（ａ））。収納小物が小さい場合には、多用途ハンカチ１０を巻くようにして口部分２２を閉じても良い（図４（ｂ））。
【００２２】
第２に、図３に示すように、ペットボトル３０を持ち運ぶ際のペットボトル収容袋として多用途ハンカチ１０を用いる。ペットボトル飲料が冷えている場合は、ペットボトル３０表面に結露を生じるが、多用途ハンカチ１０に入れておけば、該多用途ハンカチ１０が水滴を吸収するので周りを濡らさない。また多用途ハンカチ１０はタオル素材であることから断熱効果があり、冷えた状態をある程度保持することができる。
【００２３】
第３に、多用途ハンカチ１０にカイロを入れて、冬期における身体の加温に用いたり、保冷剤を入れて、夏期に涼感を得るための熱冷ましとして用いることができる。カイロ等が直接肌に触れないので、肌への刺激を少なくして温熱／冷熱効果を発揮させることができる。
【００２４】
第４に、入浴において身体を洗浄する際に、多用途ハンカチ１０を洗浄具（バスミトン）として手にはめて使うこともできる。
【００２５】
第５に、上記リング状タブ１８或いはこれに接続したチェーン１９を利用して腰のベルト等に多用途ハンカチ１０を取り付け、手を拭く場合などに使用することができる。従来においてハンカチやタオルをバッグやポケットから濡れた手で取出す操作をしないようにするには、ハンカチ等を安全ピンで衣服に留めることが一般的であったが、上記の様にタブ１８やチェーン１９によってベルト等への取付が簡単となる。
【００２６】
第６に、壁に設けたフックにリング状タブ１８やチェーン１９を引っ掛けることで、多用途ハンカチ１０を壁掛けタオルとして使用することができる。
【００２７】
第７に、リング状タブ１８やチェーン１９に各種飾りを取り付けることができ、ストラップ感覚で多用途ハンカチ１０を飾ることができる。
【００２８】
以上、図示例を挙げて本考案を具体的に説明したが、本考案はもとより上記図示例によって制限を受けるものではなく、前記の趣旨に適合し得る範囲で適当に変更を加えて実施することも勿論可能であり、それらはいずれも本考案の技術的範囲に包含される。
【００２９】
例えば上記実施形態では下部区間Ｓを角部１４，１５から２／３の位置までの区間としたが、これに限らず、角部１４，１５から１／２の位置までの区間や、角部１４，１５から３／５の位置までの区間等としても良い。下部区間Ｓを長くとるほど袋部分２１が深いものとなり、収容量が多くなる。
【００３０】
また上記実施形態では、材料として正方形のタオル生地を用いたが、長方形であっても良い。
【符号の説明】
【００３１】
１０  多用途ハンカチ
１１  タオル生地
１２，１３，１４，１５  角部
１６  中心付近位置
１７  辺Ｃの折返し点
１８  タブ
１９  チェーン
２１  袋部分
２２  口部分
３０  ペットボトル
Ａ，Ｂ，Ｃ，Ｄ  辺
Ｓ  下部区間
Ｔ  上部区間
【図１】
0003156519.tif 000003
【図２】
0003156519.tif 000004
【図３】
0003156519.tif 000005
【図４】
0003156519.tif 000006